(57)【要約】【課題】本考案は、キッチンにおける流し台のシンク底面への水切り袋載置部分の接触面ないし近接面の大幅な減少を図りながら、生ごみ用水切り袋の挿入操作の簡易化を図り、キッチンで作業を行う際の負担をできるだけ軽減できるようにした生ごみ用水切り袋支持具を提供することを課題とする。【解決手段】上縁部棒材１とＵ字型の脚部棒材２とを一対の柱状部棒材３，３で無端状に連続させてなる少なくとも３個のリング状部材Ｒを、底部棒材５で連結することにより、水切り袋設置用内部空間４が形成される。リング状部材Ｒおよび底部棒材５は、金属製の芯材の表面に撥水性の被覆材を施して構成される。【選択図】  図１
0003139246.tif 000002
【実用新案登録請求の範囲】
【請求項１】
上縁部棒材の両端と脚部棒材の両端とを一対の柱状部棒材で無端状に連続させてなる少なくとも３個のリング状部材を、同リング状部材により囲まれた水切り袋設置用内部空間を形成するように備えるとともに、上記リング状部材の下部の相互間を同リング状部材の下端よりもやや上方で相互に連結して水切り袋載置部を形成すべく配設された底部棒材を備えて構成されたことを特徴とする、生ごみ用水切り袋支持具。
【請求項２】
上記上縁部棒材の両端部間の水平面に沿う長さと比べて、上記脚部棒材の両端部間の水平面に沿う長さが短く形成されていることを特徴とする、請求項１に記載の生ごみ用水切り袋支持具。
【請求項３】
上記脚部棒材がＵ字型に形成されていることを特徴とする、請求項１または２に記載の生ごみ用水切り袋支持具。
【請求項４】
上記リング状部材および上記底部棒材が、いずれも金属製芯材の表面に撥水性の被覆材を施して構成されていることを特徴とする、請求項１〜３のいずれか１つに記載の生ごみ用水切り袋支持具。
【考案の詳細な説明】
【技術分野】
【０００１】
本考案は、キッチンなどで生ごみを投入するのに用いられる水切り袋の支持具に関し、特に流し台のシンク内の片隅に載置するのに適した生ごみ用水切り袋支持具に関する。
【背景技術】
【０００２】
一般に、家庭で使用される市販の生ごみ用水切り袋は、キッチンにおける流し台のシンク中央部等に形成された円筒状の排水凹部に挿入して用いられるが、同排水凹部の内壁面は汚れやすくなるという不具合がある。
そこで、特開２０００−９６６５２号公報に示されるように、流し台のシンク内の片隅に平面視がはほぼ二等辺直角三角形状の通水性容器を載置し、同容器内に水切り袋を挿入して用いることが提案されている。
しかしながら、上述のような容器を用いる手段では、同容器の掃除に著しく手間がかかることになる。
また、上記公報には、格子状の枠体の内部に水切り袋を挿入するようにしたものも示されているが、上記枠体のシンク底面への接触部分が多くなっているため、同枠体やシンクの清掃には、かなり面倒な操作が必要になる。
【特許文献１】特開２０００−９６６５２号公報
【考案の開示】
【考案が解決しようとする課題】
【０００３】
本考案は、キッチンにおける流し台のシンク底面への水切り袋載置部分の接触面ないし近接面の大幅な減少を図りながら、生ごみ用水切り袋の挿入操作の簡易化を図り、キッチンで作業を行う際の負担をできるだけ軽減できるようにした生ごみ用水切り袋支持具を提供することを課題とする。
【課題を解決するための手段】
【０００４】
前述の課題を解決するため、本考案の生ごみ用水切り袋支持具は、上縁部棒材の両端と脚部棒材の両端とを一対の柱状部棒材で無端状に連続させてなる少なくとも３個のリング状部材を、同リング状部材により囲まれた水切り袋設置用内部空間を形成するように備えるとともに、上記リング状部材の下部の相互間を同リング状部材の下端よりもやや上方で相互に連結して水切り袋載置部を形成すべく配設された底部棒材を備えて構成されたことを特徴としている。
【０００５】
また、本考案の生ごみ用水切り袋支持具は、上記上縁部棒材の両端部間の水平面に沿う長さと比べて、上記脚部棒材の両端部間の水平面に沿う長さが短く形成されていることを特徴としている。
【０００６】
さらに、本考案の生ごみ用水切り袋支持具は、上記脚部棒材がＵ字型に形成されていることを特徴としている。
【０００７】
また、本考案の生ごみ用水切り袋支持具は、上記リング状部材および上記底部棒材が、いずれも金属製芯材の表面に撥水性の被覆材を施して構成されていることを特徴としている。
【考案の効果】
【０００８】
上述の本考案の生ごみ用水切り袋支持具では、上縁部棒材の両端と脚部棒材の両端とを一対の柱状部材で無端状に連続させて構成した少なくとも３個のリング状部材によって、水切り袋設置用内部空間が形成され、同内部空間に差し込まれた水切り袋の底部は、上記リング状部材の下端よりもやや上方において上記リング状部材どうしを連結する底部棒材で構成された水切り袋載置部により支持されるので、上記水切り袋の保持が的確に行われるようになる。
【０００９】
そして、上記水切り袋に投入される生ごみにより生じた汚れの付着部分は、同水切り袋に接する上記のリング状部材や底部棒材における僅かな接触面と、流し台のシンク底面に対する上記脚部棒材の接触面だけとなるので、これらの接触面に付着する汚れの量は、従来の水切り袋支持具を使用する場合と比べて著しく減少するようになる。
【００１０】
また、上記上縁部棒材の両端部間の水平面に沿う長さと比べて、上記脚部棒材の両端部間の水平面に沿う長さが短く形成されていることにより、本支持具の軽量化がもたらされるほか、上記脚部棒材のシンク底面への接触部分が著しく減少するようになって、同シンク底面における汚れの発生量も減少するようになる。
【００１１】
さらに、上記脚部棒材がＵ字型に形成されていると、同脚部棒材のシンク底面への接触部分が大幅に減少し、これに伴いシンク底面における汚れの発生量も著しく減少するようになる。
【００１２】
また、上記リング状部材および上記底部棒材が、いずれも金属製芯材の表面に撥水性の被覆材を施して構成されていると、本支持具の使用中における汚れの付着量が大幅に減少するようになって、メンテナンスの簡易化に寄与することができる。
【実施例】
【００１３】
図１は本考案の一実施例としての生ごみ用水切り袋支持具を示す斜視図、図２は図１のＡ−Ａ線に沿う拡大断面図である。
【００１４】
図１に示すように、本実施例の生ごみ用水切り袋支持具は、ほぼ直線状の上縁部棒材１の両端とＵ字型の脚部棒材２とを一対の柱状部棒材３，３で無端状に連続させてなる４個のリング状部材Ｒを、同リング状部材Ｒにより囲まれた水切り袋設置用内部空間４が形成されるように備えるとともに、さらに、各リング状部材Ｒの下部の相互間を同リング状部材Ｒの下端よりもやや上方で相互に連結して水切り袋載置部を形成すべく配設された底部棒材５を備えて構成されている。
【００１５】
そして、上縁部棒材１の両端部間の水平面に沿う長さＭと比べて、脚部棒材２の両端部間の水平面に沿う長さＮが短く形成されており、しかも脚部棒材２はＵ字型に形成されている。
【００１６】
また、リング状部材Ｒおよび底部棒材５は、図２に示すように、いずれも金属製芯材ａの表面に６フッ化エチレンのごとき撥水性の被覆材ｂを施して構成されている。
【００１７】
上述の本実施例の生ごみ用水切り袋支持具では、上縁部棒材１の両端と脚部棒材２の両端とを一対の柱状部材３，３で無端状に連続させて構成した４個のリング状部材Ｒによって、水切り袋設置用内部空間４が形成され、同内部空間４に差し込まれた水切り袋の底部は、リング状部材Ｒの下端よりもやや上方においてリング状部材Ｒどうしを連結する底部棒材５で構成された水切り袋載置部により支持されるので、水切り袋の保持が的確に行われるようになる。
【００１８】
そして、上記水切り袋に投入される生ごみにより生じた汚れの付着部分は、同水切り袋に接するリング状部材Ｒや底部棒材５における僅かな接触面と、流し台のシンク底面に対する脚部棒材２の接触面だけとなるので、これらの接触面に付着する汚れの量は、従来の水切り袋支持具を使用する場合と比べて著しく減少するようになる。
【００１９】
また、上縁部棒材１の両端部間の水平面に沿う長さＭと比べて、脚部棒材２の両端部間の水平面に沿う長さＮが短く形成されていることにより、本支持具の軽量化がもたらされるほか、脚部棒材２のシンク底面への接触部分が、同脚部棒材２のＵ字型により著しく減少するようになって、シンク底面における汚れの発生量も減少するようになる。
【００２０】
さらに、脚部棒材２がＵ字型に形成されているので、同脚部棒材２のシンク底面への接触部分が大幅に減少し、これに伴いシンク底面における汚れの発生量も著しく減少するようになる。
【００２１】
また、リング状部材Ｒおよび底部棒材５が、いずれも金属製芯材の表面に撥水性の被覆材ｂを施して構成されることにより、本支持具の使用中における汚れの付着量が大幅に減少するようになって、メンテナンスの簡易化に寄与することができる。
【図面の簡単な説明】
【００２２】
【図１】本考案の一実施例としての生ごみ用水切り袋支持具を示す斜視図である。
【図２】図１のＡ−Ａ線に沿う拡大断面図である。
【符号の説明】
【００２３】
１  上縁部棒材
２  脚部棒材
３  柱状部棒材
４  水切り袋設置用内部空間
５  底部棒材
ａ  金属製芯材
ｂ  被覆材
Ｍ，Ｎ  長さ
Ｒ  リング状部材
【図１】
0003139246.tif 000003
【図２】
0003139246.tif 000004